(57)【特許請求の範囲】
【請求項１】
連続的に搬送される建築用外装材の木口に塗装したシーラの塗装状態の良不良を、塗装直後の木口を照明装置で光照射しながらカメラにより木口全域を撮影し、その画像を画像処理装置にかけて自動的に判定する建築用外装材木口のシーラ塗装の検査方法であり、照明装置の光軸を、建築用外装材の木口上端縁に形成された面取り部と平行にして木口に照射し、建築用外装材表面に形成された模様柄間に陰影を形成させることを特徴とする建築用外装材木口のシーラ塗装の検査方法。
【請求項２】
画像処理装置におけるシーラの塗装状態の良不良は、シーラ塗装前後の建築用外装材木口の画像データの対照により判定される請求項１記載の建築用外装材木口のシーラ塗装の検査方法。
【請求項３】
画像処理装置には、あらかじめシーラ塗装前の建築用外装材木口の画像データが記憶されている請求項２記載の建築用外装材木口のシーラ塗装の検査方法。
【発明の詳細な説明】
【０００１】
【発明の属する技術分野】
この出願の発明は、建築用外装材木口のシーラ塗装の検査方法に関するものである。さらに詳しくは、この出願の発明は、建築用外装材表面に形成された模様柄に影響されずに、連続的に搬送される建築用外装材の木口のシーラ塗装の良不良を全数にわたって正確に判定することのできる建築用外装材木口のシーラ塗装の検査方法に関するものである。
【０００２】
【従来の技術】
住宅などの外壁材、屋根材、塀材などの外装材には、耐久性などに優れたセメント系の無機質板が広く用いられている。このような建築用外装材については、施工後に木口において耐水性が劣化することがしばしばあるため、これを防止するために、製造工程において木口にシーラを塗装し、耐水性を高めることが行われている。このシーラ塗装では、連続ライン上を連続的に搬送される建築用外装材の木口に刷毛やロールなどによりシーラが塗装される。
【０００３】
そこで問題となるのは、木口にシーラがムラなく均一に塗装されているかどうか、シーラの塗装状態を検査しなければならないということである。
これまでは、一般に、人による定期的な目視検査が行われている。無機質板からなる建築用外装材は、木口がシーラ塗装されると、濡れて色が黒ずむ。したがって、シーラ塗装直後の建築用外装材の木口を目視することにより、シーラの塗装状態を判定することができるのである。
【０００４】
【発明が解決しようとする課題】
しかしながら、たとえ熟練者といえども、連続的に搬送される移動中の建築用外装材の木口のシーラの塗装状態を検査することは決して容易でない。また、連続的に搬送される建築用外装材の全数の検査は不可能である。さらに、色調による判定のため、その判定は感覚的であり、人により判定基準がぶれることもある。
【０００５】
そこで、塗装直後の建築用外装材の木口をカメラにより撮影し、その画像を画像処理装置にかけ、たとえばシーラ塗装前の木口の画像データと比較するなどして、シーラの塗装状態を自動的に判定することが考えられている。
【０００６】
しかしながら、カメラによる撮影に際しては、鮮明な画像を得るために、建築用外装材の木口を照明装置により光照射する必要があるが、図４に示したように、建築用外装材（１）には、通常、その表面に化粧用の模様柄（２）が形成されており、また、木口（３）の上端縁に面取り部（４）が形成されている。このような建築用外装材（１）の木口（３）に対して、図５に示したように、照明装置（５）の光軸（６）が木口（３）の垂直面（７）に垂直となるように照明装置（５）から光照射し、図６に示したように、カメラ（８）により建築用外装材（１）の木口（３）の全域を撮影すると、その画像は、図７に示したようなものとなる。
【０００７】
すなわち、シーラ塗装直後のため、建築用外装材（１）の木口（３）は、シーラの塗装状態が良好である場合、図７に示したような黒っぽい色調となる。その一方、模様柄（２）間は白く映し出されることとなり、この白く映し出された部分（９）を、画像処理装置はシーラ塗装されていないと判断し、実際にはシーラ塗装が良好であるのにもかかわらず、不良と判定してしまう。
【０００８】
この出願の発明は、以上の通りの事情に鑑みてなされたものであり、建築用外装材表面に形成された模様柄に影響されずに、連続的に搬送される建築用外装材の木口のシーラ塗装の良不良を全数にわたって正確に判定することのできる建築用外装材木口のシーラ塗装の検査方法を提供することを解決すべき課題としている。
【０００９】
【課題を解決するための手段】
この出願の発明は、前述の課題を解決するものとして、連続的に搬送される建築用外装材の木口に塗装したシーラの塗装状態の良不良を、塗装直後の木口を照明装置で光照射しながらカメラにより木口全域を撮影し、その画像を画像処理装置にかけて自動的に判定する建築用外装材木口のシーラ塗装の検査方法であり、照明装置の光軸を、建築用外装材の木口上端縁に形成された面取り部と平行にして木口に照射し、建築用外装材表面に形成された模様柄間に陰影を形成させることを特徴とする建築用外装材木口のシーラ塗装の検査方法（請求項１）を提供する。
【００１０】
またこの出願の発明は、画像処理装置におけるシーラの塗装状態の良不良は、シーラ塗装前後の建築用外装材木口の画像データの対照により判定されること（請求項２）、画像処理装置には、あらかじめシーラ塗装前の建築用外装材木口の画像データが記憶されていること（請求項３）をそれぞれ一態様として提供する。
【００１１】
以下、図面に沿ってこの出願の発明の建築用外装材木口のシーラ塗装の検査方法についてさらに詳しく説明する。
【００１２】
【発明の実施の形態】
図１は、この出願の発明の建築用外装材木口のシーラ塗装の検査方法の概要を示した斜視図である。
【００１３】
この出願の発明の建築用外装材木口のシーラ塗装の検査方法は、図１に示したように、連続的に搬送される建築用外装材（１）の木口（３）に塗装されたシーラの塗装状態の良不良を、塗装直後の木口（３）を照明装置（５）で光照射しながら、カメラ（８）により木口（３）の全域を撮影し、その画像を画像処理装置（１０）にかけて自動的に判定する。照明装置（５）によるシーラ塗装直後の建築用外装材（１）の光照射及びカメラ（８）による木口（３）の全域撮影は、図１に示したように、建築用外装材（１）の左右両方の木口（３）（３）について行うことができ、そのために、照明装置（５）及びカメラ（８）は、建築用外装材（１）の左右両方の木口（３）（３）に一台ずつ配備することができる。そして、画像処理装置（１０）は、個々のカメラ（８）が撮影した画像データを個別に取り扱い、その各々についてシーラ塗装の良不良の判定を行うことができるようにし、その結果をモニター（１１）に、画像とともに警告表示、若しくは表示とともにアラーム吹鳴などを行わせることができる。
【００１４】
このため、この出願の発明の外装材木口のシーラ塗装の検査方法は、人による定期的な目視検査における前述の問題を解消することができ、連続的に搬送される建築用外装材（１）の木口（３）に塗装されたシーラの塗装状態の良不良を、自動的に、しかも建築用外装材（１）の全数について判定することができる。
【００１５】
なお、画像処理装置（１０）におけるシーラの塗装状態の良不良の判定は、たとえば、シーラ塗装前後の建築用外装材（１）の木口（３）の画像データの対照により行うことができ、この場合、画像処理装置（１０）には、あらかじめシーラ塗装前の建築用外装材（１）の木口（３）の画像データを記憶させておくことができる。また、図１には、図示を簡略化するために、建築用外装材（１）の表面の、図４に例示される模様柄（２）を省略している。
【００１６】
そして、この出願の発明の外装材木口のシーラ塗装の検査方法では、画像処理装置（１０）が行うシーラの塗装状態の良不良の判定を正確に行わせるために、図２の要部断面図に示しように、照明装置（５）の光軸（６）を、建築用外装材（１）の木口（３）の上端縁に形成された面取り部（４）と平行にして木口（３）に照射する。これによって、図４に示した建築用外装材（１）の表面に形成された模様柄（２）間に陰影を形成させることができる。その結果、図１に示したカメラ（８）により撮影される画像は、図３に示したようになり、模様柄（２）間は、黒っぽく映し出された部分（１２）となる。したがって、図１に示した画像処理装置（１０）におけるシーラの塗装状態の良不良の判定が、建築用外装材（１）の表面に形成された模様柄（２）の影響を受けず、正確となる。図３に示した画像が得られた時には、画像処理装置（１０）は、建築用外装材（１）の木口（３）のシーラ塗装の状態を良好と判定することができる。
【００１７】
なお、建築用外装材（１）の木口（３）の上端縁に形成される面取り部（４）の水平方向に対する角度（Θ）は、一般に、３０°前後である。したがって、この出願の発明の外装材木口のシーラ塗装の検査方法では、照明装置（５）の光軸（６）もまた、水平方向に対して３０°前後傾けることができる。
【００１８】
もちろん、この出願の発明は、以上の実施形態によって限定されるものではない。照明装置、カメラ、画像処理装置、及びモニターの構成及び構造をはじめ、建築用外装材の形状や木口に塗装するシーラの種類などの細部については様々な態様が可能であることはいうまでもない。
【００１９】
【発明の効果】
以上詳しく説明した通り、この出願の発明によって、建築用外装材表面に形成された模様柄に影響されずに、連続的に搬送される建築用外装材の木口のシーラ塗装の良不良を全数にわたって正確に判定することができる。
【図面の簡単な説明】
【図１】この出願の発明の建築用外装材木口のシーラ塗装の検査方法の概要を示した斜視図である。
【図２】この出願の発明の建築用外装材木口のシーラ塗装の検査方法における要部断面図である。
【図３】この出願の発明の建築用外装材木口のシーラ塗装の検査方法により良好と判定される木口の画像を示した概要図である。
【図４】建築用外装材を例示した要部斜視図である。
【図５】この出願の発明前の照明装置の建築用外装材木口への光照射を示した要部断面図である。
【図６】カメラによる建築用外装材木口の全域撮影について示した概要図である。
【図７】図５に示した光照射により得られる建築用外装材木口の画像を示した概要図である。
【符号の説明】
１    建築用外装材
２    模様柄
３    木口
４    面取り部
５    照明装置
６    光軸
７    垂直面
８    カメラ
９    白く映し出された部分
１０    画像処理装置
１１    モニター
１２    黒っぽく映し出された部分
【図１】
0003628634.tif 000002
【図２】
0003628634.tif 000003
【図３】
0003628634.tif 000004
【図４】
0003628634.tif 000005
【図５】
0003628634.tif 000006
【図６】
0003628634.tif 000007
【図７】
0003628634.tif 000008